【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
画像処理装置であって、
表示手段と、
ログインアプリケーションの改ざんを検知する検知手段と、
ログインアプリケーションにより認証されたユーザが前記画像処理装置にログインすると、前記表示手段に表示される機能を使用することができるように制御し、前記検知手段よって前記ログインアプリケーションの改ざんを検知すると、前記機能を使用できなくなるように制御する制御手段と
を備えることを特徴とする画像処理装置。
【請求項２】
前記検知手段は、前記ログインアプリケーションのファイルのハッシュ値を用いて前記ログインアプリケーションの改ざんを検知することを特徴とする請求項１に記載の画像処理装置。
【請求項３】
前記検知手段は、前記画像処理装置の起動時に前記ログインアプリケーションの改ざんを検知することを特徴とする請求項１又は２に記載の画像処理装置。
【請求項４】
前記検知手段は、前記ログインアプリケーションが無効から有効に切り替えられたことに従って前記ログインアプリケーションの改ざんを検知することを特徴とする請求項１乃至３の何れか１項に記載の画像処理装置。
【請求項５】
前記機能は、コピー、スキャン、及びファックスの少なくとも１つ以上の機能であることを特徴とする請求項１乃至４の何れか１項に記載の画像処理装置。
【請求項６】
前記制御手段は、前記検知手段によって前記ログインアプリケーションの改ざんが検知されると、前記ログインアプリケーションの改ざんが検知されたことを示すメッセージを前記表示手段に表示させることを特徴とする請求項１乃至５の何れか１項に記載の画像処理装置。
【請求項７】
前記制御手段は、前記検知手段によって前記ログインアプリケーションの改ざんが検知されると、前記ログインアプリケーションのインストールを促すメッセージを前記表示手段に表示させることを特徴とする請求項１乃至５の何れか１項に記載の画像処理装置。
【請求項８】
前記制御手段は、前記検知手段によって前記ログインアプリケーションの改ざんが検知されると、前記ログインアプリケーションを無効化する指示を受け付ける画面を前記表示手段に表示させることを特徴とする請求項１乃至５の何れか１項に記載の画像処理装置。
【請求項９】
画像処理装置であって、
表示手段と、
ログインアプリケーションの改ざんを検知する検知手段と、
前記ログインアプリケーションを有効化又は無効化に設定する設定手段と、
前記有効化に設定されているログインアプリケーションにより認証されたユーザが前記画像処理装置にログインすると、前記表示手段に表示される機能を使用することができるように制御し、前記検知手段によって前記有効化に設定されているログインアプリケーションの改ざんを検知すると、前記機能を使用できなくなるように制御する制御手段と
を備えることを特徴とする画像処理装置。
【請求項１０】
前記検知手段は、前記ログインアプリケーションが無効化されている場合、前記ログインアプリケーションの改ざんの検知を行わないことを特徴とする請求項９に記載の画像処理装置。
【請求項１１】
前記検知手段は、前記ログインアプリケーションのファイルのハッシュ値に用いて、前記ログインアプリケーションの改ざんを検知することを特徴とする請求項９又は１０に記載の画像処理装置。
【請求項１２】
前記検知手段は、前記画像処理装置の起動時に前記ログインアプリケーションの改ざんを検知することを特徴とする請求項９乃至１１の何れか１項に記載の画像処理装置。
【請求項１３】
前記検知手段は、前記ログインアプリケーションが無効から有効に切り替えられたことに従って前記ログインアプリケーションの改ざんを検知することを特徴とする請求項９乃至１２の何れか１項に記載の画像処理装置。
【請求項１４】
前記機能は、コピー、スキャン、及びファックスの少なくとも１つ以上の機能であることを特徴とする請求項９乃至１３の何れか１項に記載の画像処理装置。
【請求項１５】
前記制御手段は、前記検知手段によって前記ログインアプリケーションの改ざんが検知されると、前記ログインアプリケーションの改ざんが検知されたことを示すメッセージを前記表示手段に表示させることを特徴とする請求項９乃至１４の何れか１項に記載の画像処理装置。
【請求項１６】
前記制御手段は、前記検知手段によって前記ログインアプリケーションの改ざんが検知されると、前記ログインアプリケーションのインストールを促すメッセージを前記表示手段に表示させることを特徴とする請求項９乃至１４の何れか１項に記載の画像処理装置。
【請求項１７】
前記制御手段は、前記検知手段によって前記ログインアプリケーションの改ざんが検知されると、前記ログインアプリケーションを無効化する指示を受け付ける画面を前記表示手段に表示させることを特徴とする請求項９乃至１４の何れか１項に記載の画像処理装置。
【請求項１８】
画像処理装置であって、
表示手段と、
ログインアプリケーションの改ざんを検知する検知手段と、
前記ログインアプリケーションにより認証されたユーザが前記画像処理装置にログインすると、前記表示手段に表示される少なくとも１つの機能を使用することができるように制御し、前記検知手段によって前記ログインアプリケーションの改ざんを検知すると、前記機能を使用できなくなるように制御する制御手段と
を備えることを特徴とする画像処理装置。
【請求項１９】
表示手段を備える画像処理装置の制御方法であって、
検知手段が、ログインアプリケーションの改ざんを検知する検知工程と、
制御手段が、ログインアプリケーションにより認証されたユーザが前記画像処理装置にログインすると、前記表示手段に表示される機能を使用することができるように制御し、前記検知工程で前記ログインアプリケーションの改ざんを検知すると、前記機能を使用できなくなるように制御する制御工程と
を含むことを特徴とする画像処理装置の制御方法。
【請求項２０】
表示手段を備える画像処理装置の制御方法であって、
検知手段が、ログインアプリケーションの改ざんを検知する検知工程と、
設定手段が、前記ログインアプリケーションを有効化又は無効化に設定する設定工程と、
制御手段が、前記有効化に設定されているログインアプリケーションにより認証されたユーザが前記画像処理装置にログインすると、前記表示手段に表示される機能を使用することができるように制御し、前記検知工程で前記有効化に設定されているログインアプリケーションの改ざんを検知すると、前記機能を使用できなくなるように制御する制御工程と
を含むことを特徴とする画像処理装置の制御方法。
【請求項２１】
表示手段を備える画像処理装置の制御方法であって、
検知手段が、ログインアプリケーションの改ざんを検知する検知工程と、
制御手段が、前記ログインアプリケーションにより認証されたユーザが前記画像処理装置にログインすると、前記表示手段に表示される少なくとも１つの機能を使用することができるように制御し、前記検知工程で前記ログインアプリケーションの改ざんを検知すると、前記機能を使用できなくなるように制御する制御工程と
を含むことを特徴とする画像処理装置の制御方法。
【請求項２２】
コンピュータを、請求項１乃至１８の何れか１項に記載の画像処理装置の各手段として機能させるためのプログラム。
【手続補正２】
【補正対象書類名】明細書
【補正対象項目名】０００６
【補正方法】変更
【補正の内容】
【０００６】
本発明は、例えば、画像処理装置であって、表示手段と、ログインアプリケーションの改ざんを検知する検知手段と、ログインアプリケーションにより認証されたユーザが前記画像処理装置にログインすると、前記表示手段に表示される機能を使用することができるように制御し、前記検知手段よって前記ログインアプリケーションの改ざんを検知すると、前記機能を使用できなくなるように制御する制御手段とを備えることを特徴とする。
【手続補正３】
【補正対象書類名】明細書
【補正対象項目名】０００７
【補正方法】変更
【補正の内容】
【０００７】
また、本発明は、例えば、画像処理装置であって、表示手段と、ログインアプリケーションの改ざんを検知する検知手段と、前記ログインアプリケーションを有効化又は無効化に設定する設定手段と、前記有効化に設定されているログインアプリケーションにより認証されたユーザが前記画像処理装置にログインすると、前記表示手段に表示される機能を使用することができるように制御し、前記検知手段によって前記有効化に設定されているログインアプリケーションの改ざんを検知すると、前記機能を使用できなくなるように制御する制御手段とを備えることを特徴とする。また、本発明は、画像処理装置であって、表示手段と、ログインアプリケーションの改ざんを検知する検知手段と、前記ログインアプリケーションにより認証されたユーザが前記画像処理装置にログインすると、前記表示手段に表示される少なくとも１つの機能を使用することができるように制御し、前記検知手段によって前記ログインアプリケーションの改ざんを検知すると、前記機能を使用できなくなるように制御する制御手段とを備えることを特徴とする。